(57)【要約】【課題】組立作業が簡単で、しかも、シートが所定の位置に配置されたことを正確に検出することができるシートの位置検出装置を提供する。【解決手段】シート１１を床に対してスライドさせるスライド機構の固定側部材１４及び可動側部材１５のいずれか一方に取り付けられるポジションセンサ１７と、他方に取り付けられた、前記ポジションセンサ１７に検知される被検知ブラケット部１８ｂとを備えるシートの位置検出装置において、前記固定側部材１４を床に対して取り付けるための取付部材１８ａと、前記固定側部材１４に取り付けられるポジションセンサ１７又は被検知ブラケット部１８ｂとが一体となっている。【選択図】　図１
2004093367.tif 000002
【特許請求の範囲】
【請求項１】
シートを床に対してスライドさせるスライド機構を有するとともに、前記スライド機構の固定側部材及び可動側部材のいずれか一方に取り付けられるポジションセンサと、他方に取り付けられた、前記ポジションセンサに検知される被検知部材とを備えるシートの位置検出装置において、
前記固定側部材を床に対して取り付けるための取付部材と、前記固定側部材に取り付けられるポジションセンサ又は被検知部材とが一体となっていることを特徴とするシートの位置検出装置。
【発明の詳細な説明】
【０００１】
【発明の属する技術分野】
本発明は、自動車用シートに関し、特に床に対してスライドする自動車用シート、さらに詳しくは、スライドしたシートの位置検出装置に関する。
【０００２】
【従来の技術】
自動車用のシートの位置検出装置は、例えば、後記する特許文献１に開示されている。このシートの位置検出装置は、自動車の床にブラケットを介して据え付けられた固定レールと、シートに取り付けられるとともに、固定レールに対してスライド可能に組み付けられた可動レールとを備えている。そして、固定レールには、磁気センサが配置され、可動レールには、磁気センサで検知可能な被検知部材が配置されている。
このシートの位置検出装置では、シートを床に対してスライドさせたときに、磁気センサに向って移動した被検知部材が、磁気センサで検知されることによって、シートが予め設定された所定の位置に配置されたことが検出される。
【０００３】
【特許文献１】
米国特許第６０５３５２９号明細書（第２頁第２欄第４５行〜第３頁第３欄第４３行、第２図、第３図参照）
【０００４】
【発明が解決しようとする課題】
ところで、このシートの位置検出装置で、シートが所定の位置に配置されたことを正確に検出するためには、床面に対する磁気センサの位置決め精度を高めなければならない。すなわち、床への固定レールの取付けを正確に行うとともに、固定レールへの磁気センサの取付けをも正確に行わなければならない。したがって、このシートの位置検出装置では、組立作業が煩雑化する。また、このシートの位置検出装置は、固定レールを床面に取り付けるためのブラケットと、磁気センサを固定レールに取り付けるための取付部材とがそれぞれ別部材で構成されているので、同じく組立作業が煩雑化する。
そこで、本発明は、組立作業が簡単で、しかも、シートが所定の位置に配置されたことを正確に検出することができるシートの位置検出装置を提供することを課題とする。
【０００５】
【課題を解決するための手段】
前記課題を解決するために、請求項１に記載のシートの位置検出装置は、シートを床に対してスライドさせるスライド機構を有するとともに、前記スライド機構の固定側部材及び可動側部材のいずれか一方に取り付けられるポジションセンサと、他方に取り付けられた、前記ポジションセンサに検知される被検知部材とを備えるシートの位置検出装置において、前記固定側部材を床に対して取り付けるための取付部材と、前記固定側部材に取り付けられるポジションセンサ又は被検知部材とが一体となっていることを特徴とする。
【０００６】
一般に、スライド機構を有するシートの位置検出装置においては、床に対してシートをスライドさせると、スライド機構を構成する可動側部材が、同じくスライド機構を構成する固定側部材に対してスライドする。そして、例えば、固定側部材に被検知部材が取り付けられるとともに、可動側部材にポジションセンサが取り付けられているシートの位置検出装置では、可動側部材がスライドすることによって、ポジションセンサが被検知部材の位置に到達すると、ポジションセンサは被検知部材を検知する。
【０００７】
また、これとは逆に、固定側部材にポジションセンサが取り付けられるとともに、可動側部材に被検知部材が取り付けられているシートの位置検出装置でも、可動側部材がスライドすることによって、同様にポジションセンサは被検知部材を検知する。このようにポジションセンサが被検知部材を検知することによって、シートが予め設定された所定の位置に配置されたことが検出される。
【０００８】
このようなシートの位置検出装置において、請求項１に記載のシートの位置検出装置では、固定側部材を床に対して取り付けるための取付部材と、前記固定側部材に取り付けられるポジションセンサ又は被検知部材とが一体となっているので、床に対する固定側部材の位置決め正確に行って、この固定側部材を取付部材で床に固定しさえすれば、固定側部材に対するポジションセンサ又は被検知部材の取付位置は自ずと正確に決定される。その結果、ポジションセンサ又は被検知部材の位置決め工程が省略できるので、組立作業が簡単で、しかも、組み立てられたシートの位置検出装置は、シートが所定の位置に配置されたことを正確に検出することができる。また、取付部材とポジションセンサ又は被検知部材とが一体になって、組立時の部品点数が低減されるので、組立作業がより簡単になる。
【０００９】
【発明の実施の形態】
次に、本発明の実施の形態について適宜図面を参照しながら説明する。
図１は、本発明のシートの位置検出装置（以下、「シート位置検出装置」という場合がある）が組み込まれる自動車用シートを、シート前方斜め下から見上げた様子を示す斜視図、図２は、本実施の形態に係るシート位置検出装置の構造を示す斜視図、図３は、相互に組み付けられた固定側部材及び可動側部材を概略的に示す断面図、図４は、ポジションセンサ周りの様子を示す一部分解斜視図、図５は、複合ブラケットを示す斜視図である。
【００１０】
図１に示すように、シート１１は、自動車の床（図示せず）にベース部材１２を介して取り付けられたシート位置検出装置１０上に配置されている。なお、本発明にいう「床」には、例えばベース部材１２のような、床面とシート位置検出装置１０との間の介在部材が含まれる。
後記する可動側部材１５は、このシート位置検出装置１０を構成するとともに、上方でシート１１に接続固定されている。そして、後記するように下方で固定側部材１４に対してスライド可能に組み付けられることにより、シート１１が床面に対してスライド可能になっている。
【００１１】
この可動側部材１５の内側壁面には、前後方向のシートの位置を調節するシート位置調節装置１３が配置されている。このシート位置調節装置１３は、使用者がレバー１３ａを操作することによって、固定側部材１４に形成された溝１４ａの間隔刻みでシートを前後方向に位置決めするように構成されている。なお、このシート位置調節装置１３の構成は、自動車に係る技術分野で周知であるので、ここでの詳しい説明は省略する。
【００１２】
本実施の形態に係るシート位置検出装置１０は、図２に示すように、固定側部材１４と、可動側部材１５と、センサ取付用ブラケット１６と、ポジションセンサ１７と、複合ブラケット１８と、固定ブラケット１９とを備えている。
【００１３】
固定側部材１４は、図２及び図３に示すように、略Ｃ字状断面形状を有する長尺の部材で構成されており、その一端には、後記する複合ブラケット１８がリベット２１で取り付けられるとともに、他端には、固定ブラケット１９が同じくリベット２１で取り付けられている。
【００１４】
固定側部材１４は、再び図１を参照すると明らかなように、ベース部材１２上で、シート１１の前後方向に延びるように配置されているとともに、その前端が後記する複合ブラケット１８を介してボルト２０でベース部材１２に取り付けられ、図示しないが、その後端が前記固定ブラケット１９（図２参照）を介して同じくボルト２０でベース部材１２に取り付けられている。そして、この固定側部材１４は、ベース部材１２上で互いに平行になるようにシート１１の左右に向き合って一対配置されている。
【００１５】
可動側部材１５は、図２に示すように、長尺の板状体で構成されているとともに、長手方向に沿った一側縁部は、図３に示すように、略Ｔ字断面形状になるように形成されている。そして、可動側部材１５は、その一側縁部が前記した固定側部材１４の中空部内に挿嵌されることにより、固定側部材１４に対してスライド可能に組み付けられている。このように固定側部材１４に組み付けられて起立する可動側部材１５の上端にシート１１が取り付けられている（図１参照）。
【００１６】
可動側部材１５の内側壁面には、図４に示すように、センサ取付用ブラケット１６を介してポジションセンサ１７が取り付けられている。このポジションセンサ１７は、センサ本体１７ａと、このセンサ本体１７ａから突出する検知部１７ｂと、センサ本体１７ａに形成されるケーブル接続部１７ｃとを備えている。センサ本体１７ａには、センサ取付用ブラケット１６に、このポジションセンサ１７を取り付けるための螺子穴１７ｄが形成されている。検知部１７ｂには、磁石１７ｅと磁気センサ１７ｆとが向き合うように配置されている。
このポジションセンサ１７は、検知部１７ｂが後記する複合ブラケット１８の位置に到達することによって、複合ブラケット１８を検知するとともに、センサ本体１７ａがこの検知信号をケーブル接続部１７ｃに接続されたケーブル２５（図１参照）を通じて出力するように構成されている。
【００１７】
センサ取付用ブラケット１６は、表面が樹脂で被覆された板材で構成されており、可動側部材１５と一体化した台座１６ａから水平方向に延びる先端で、下方向に屈曲してさらに延びている。そして、センサ取付用ブラケット１６の水平部１６ｂに形成された貫通孔１６ｃ，１６ｃに挿通された螺子２６，２６が、ポジションセンサ１７に形成された前記螺子穴１７ｄ，１７ｄに螺合することによって、センサ取付用ブラケット１６にポジションセンサ１７が固定されている。このように固定されたポジションセンサ１７は、センサ取付用ブラケット１６及び固定側部材１４でその上面及び側面が囲われている。
【００１８】
複合ブラケット１８は、図５に示すように、固定ブラケット部１８ａと、磁気遮断ブラケット１８ｂと、固定ブラケット部１８ａ及び磁気遮断ブラケット部１８ｂを一体に接続する接続部１８ｃとを備えている。そして、固定ブラケット部１８ａ及び磁気遮断ブラケット部１８ｂは、接続部１８ｃからそれぞれ直交する方向に延びている。本実施の形態では、この複合ブラケット１８として、ポジションセンサ１７の磁石１７ｅから磁気センサ１７ｆに向う磁力線を遮断する、例えば鉄といった強磁性体からなるものが使用されており、この複合ブラケット１８の表面は樹脂で被覆されている。
【００１９】
固定ブラケット部１８ａには、この複合ブラケット１８をベース部材１２に接続するためのボルト２０（図１参照）を挿通するボルト孔１８ｄが形成されている。そして、接続部１８ｃには、この複合ブラケット１８を固定側部材１４に接続するためのリベット２１（図２参照）を挿通するリベット孔１８ｅが形成されている。
【００２０】
次に、このシート位置検出装置１０の動作を説明すると、まず、使用者がレバー１３ａを引き上げて、固定側部材１４に対する可動側部材１５の係止を解くことによって、シート１１を前後方向にスライドさせることができるようになる。例えば、使用者がシート１１を前方向にスライドさせた場合には、図６に示すように、シート１１のスライドにともなって、可動側部材１４に取り付けられたポジションセンサ１７が複合ブラケット１８に向って移動する。そして、使用者がシート１１を最も前方まで移動させてレバー１３ａを離すことによって、シート１１が固定される。このとき、ポジションセンサ１７では、その検知部１７ｂに配置された磁石１７ｅと磁気センサ１７ｆとの間に、複合ブラケット１８の磁気遮断ブラケット部１８ｂが入り込むことによって、磁石１７ｅから磁気センサ１７ｆに向う磁力線が遮断される。そして、磁気センサ１７ｆで磁気が検出されなくなったことによって、ポジションセンサ１７が複合ブラケット１８を検知するので、シート１１が予め設定された所定の位置に配置されたことが検出される。
【００２１】
このシート位置検出装置１０によれば、ベース部材１２に固定側部材１４を取り付ける取付機能と、ポジションセンサ１７にシート位置を検出させる機能とを併せ持つとともに、単一部材で構成される複合ブラケット１８を使用しているので、ベース部材１２に対する固定側部材１４の位置決めを正確に行って、この固定側部材１４を複合ブラケット１８でベース部材１２に固定しさえすれば、固定側部材１４に対する磁気遮断ブラケット部１８ｂの位置は自ずと正確に決定される。その結果、例えば固定用ブラケット及び被検知部材の二部材を備えるシート位置検出装置の組立作業で必要な被検知部材の位置決め工程が省略できるので、組立作業が簡単になるとともに、組み立てられたシート位置検出装置１０は、シート１１が所定の位置に配置されたことを正確に検出することができる。
また、ベース部材１２への固定ブラケット部１８ａに取付作業は、ベース部材１２と向き合う前位置から行うので、所定位置への磁気遮断ブラケット１８の配置は容易に行うことができる。しかも、取付作業の容易な前位置から複合ブラケット１８の取付けを行うと、複合ブラケット１８を適正な位置に位置決めすることができ、その結果、磁気遮断ブラケット１８は容易かつより正確に位置決めされる。
【００２２】
なお、シートが予め設定された所定の位置に配置されたことによって、ポジションセンサ１７から出力される信号は、例えばエアバッグ展開装置に利用することができる。この信号を受けた際に、エアバッグの展開強度を弱めるようにエアバッグ展開装置の動作を制御すると、前方にスライドしたシート１１に座るドライバがエアバッグから受ける衝撃を低減することができる。
【００２３】
また、本実施の形態のシート位置検出装置１０では、可動側部材１５とセンサ取付用ブラケット１６とを一体化することによって、ポジションセンサ１７をより正確に位置決めすることができるので、さらに正確にシート１１の位置を検出することができる。
【００２４】
また、本実施の形態のシート位置検出装置１０では、センサ取付用ブラケット１６がポジションセンサ１７を囲って保護しているので、物の衝突といった外的要因によるポジションセンサ１７の破損が避けられる。
【００２５】
また、本実施の形態のシート位置検出装置１０では、センサ取付用ブラケット１６や複合ブラケット１８の表面が樹脂で被覆されているので、これらブラケット１６，１８の鋭利なエッジが樹脂で隠蔽され、安全性が高まる。
【００２６】
以上、本発明のシートの位置検出装置を実施の形態に基づいて具体的に説明したが、本発明は、本実施の形態に何ら制限されるものではない。
例えば、本実施の形態でのポジションセンサ１７は、シート位置を検出することができるものであれば特に制限はなく、前記した磁気センサを利用した検知部１７ｂに代えて、光センサ、超音波センサ等を利用した検知部が使用されてもよい。
【００２７】
【発明の効果】
本発明のシートの位置検出装置によれば、組立作業が簡単で、しかも、シートが所定の位置に配置されたことを精度よく検出することができる。
【図面の簡単な説明】
【図１】本発明のシートの位置検出装置が組み込まれる自動車用シートを、シート前方斜め下から見上げた様子を示す斜視図である。
【図２】本実施の形態に係るシートの位置検出装置の構造を示す斜視図である。
【図３】相互に組み付けられた固定側部材及び可動側部材を概略的に示す断面図である。
【図４】ポジションセンサ周りの様子を示す一部分解斜視図である。
【図５】複合ブラケットを示す斜視図である。
【図６】シートがスライドしたときのポジションセンサ及び複合ブラケットの位置関係を示す概念図である。
【符号の説明】
１０　　　シートの位置検出装置
１１　　　シート
１４　　　固定側部材
１５　　　可動側部材
１７　　　ポジションセンサ
１８　　　複合ブラケット
１８ａ　　固定ブラケット部
１８ｂ　　磁気遮断ブラケット部
【図１】
2004093367.tif 000003
【図２】
2004093367.tif 000004
【図３】
2004093367.tif 000005
【図４】
2004093367.tif 000006
【図５】
2004093367.tif 000007
【図６】
2004093367.tif 000008